(57)【要約】      （修正有）【課題】補修及び内部構成要素の入れ替えを容易にする、通気装置を提供する。【解決手段】第１の収納空間１１３を有するハウジング１１１と、ハウジングに設けられる複数のねじ山１１２と、を含む外層１１０と、ハウジングに取り外し可能に接続され、第２の収納空間１２２を有するライナー１２１と、ライナーに取り外し可能に接続され、複数の通路を有する上蓋１４０と、を含み、外層に取り外し可能に接続されるように、ハウジングの第１の収納空間内に収容される中層１２０と、ライナーに取り外し可能に接続され、第３の収納空間を有するカラー１３１と、カラーの第３の収納空間内に収容され、且つカラーに取り外し可能に接続される複数の通気メッシュ１７０と、を含み、中層に取り外し可能に接続されるように、ライナーの第２の収納空間内に収容される内層１３０と、を備える通気装置１００。【選択図】図２
0003233747.tif 000002
【実用新案登録請求の範囲】
【請求項１】
第１の収納空間を有するハウジングと、前記ハウジングに設けられる複数のねじ山と、を含む外層と、
前記ハウジングに取り外し可能に接続され、第２の収納空間を有するライナーと、前記ライナーに取り外し可能に接続され、複数の通路を有する上蓋と、を含み、前記外層に取り外し可能に接続されるように、前記ハウジングの前記第１の収納空間内に収容される中層と、
前記ライナーに取り外し可能に接続され、第３の収納空間を有するカラーと、前記カラーの前記第３の収納空間内に収容され、且つ前記カラーに取り外し可能に接続される複数の通気メッシュと、を含み、前記中層に取り外し可能に接続されるように、前記ライナーの前記第２の収納空間内に収容される内層と、
を備える通気装置。
【請求項２】
前記上蓋は、
複数の第１の通路を有する第１の上蓋部材と、
前記第１の上蓋部材に取り外し可能に接続され、前記第１の通路と連通する複数の第２の通路を有する第２の上蓋部材と、
を含む請求項１に記載の通気装置。
【請求項３】
各前記第１の通路の管路は、各前記第２の通路の方向へ縮径する請求項２に記載の通気装置。
【請求項４】
前記ライナーは、
前記ライナーの外面に設けられ、前記ライナーと前記ハウジングとの間に隙間を形成する少なくとも１つの空気流入流路と、
前記ライナーの前記第２の収納空間と前記ハウジングの前記第１の収納空間とを連通させるように、前記空気流入流路に貫通される少なくとも１つの貫通孔と、
を含む請求項１に記載の通気装置。
【請求項５】
前記内層は、複数のセパレータを更に含み、
前記複数のセパレータは、前記カラーに取り外し可能に接続されるように、前記カラーの前記第３の収納空間に収容され、各前記セパレータの間に少なくとも１つの前記通気メッシュが設けられる請求項１に記載の通気装置。
【請求項６】
前記ハウジングは、前記ハウジングの内面に設けられる段縁を含み、且つ前記ライナーは、前記段縁に取り外し可能に当接されるフランジを含む請求項１に記載の通気装置。
【請求項７】
前記ハウジングは、カニューレ又は三方管である請求項１に記載の通気装置。
【請求項８】
前記ライナーは、前記ライナーの内面に設けられる係合溝を含み、且つ前記上蓋は、前記係合溝に取り外し可能に接続される係合縁を含む請求項１に記載の通気装置。
【請求項９】
前記ライナーは、前記ライナーの内面に設けられる当接部材を含み、且つ前記カラーは、前記カラーの外面に設けられる当接縁を含み、前記当接部材が前記当接縁に取り外し可能に当接される請求項１に記載の通気装置。
【請求項１０】
前記内層は、前記カラーの一端に取り外し可能に接続される固定部材を更に含む請求項１に記載の通気装置。
【請求項１１】
前記カラーは、前記カラーの内面に設けられる凹溝を含み、且つ前記固定部材は、前記凹溝に取り外し可能に接続される膨出部を含む請求項１０に記載の通気装置。
【考案の詳細な説明】
【技術分野】
【０００１】
本考案は、通気装置に関し、特に、各構成要素同士が容易に着脱可能な通気装置に関する。
【背景技術】
【０００２】
水流をよりきめ細かくするように、水流を空気と混合させて、水流に微細バブルを大量に含ませ、更に節水の効果を達成させるための通気装置を、水栓の吐水端に取り付けることは一般的である。気液混合の効果を更に高めるように、当業者により、通気メッシュを有する通気装置が提案されている。
【０００３】
しかしながら、通気メッシュは、細孔が微細であるので、錆び、割れ及び閉塞の状況がよくあり、吐水の水流の流量が不安定になり、又は混合効果が不良になる。通気メッシュに上記事態が発生すると、通常の通気装置は、一体成形され且つ密閉した構造であるため、通気装置全体を合わせて入れ替える必要があるので、通気装置の使用コストが高くなる。
【０００４】
これに鑑みて、上記従来の構造の欠点を如何に改善するかは、関連当業者の鋭意に研究開発する目標となっている。
【考案の概要】
【考案が解決しようとする課題】
【０００５】
本考案は、通気装置を提供し、外層、中層及び内層が取り外し可能に接続される構造配置によって、使用者が各構成要素の組み合わせを簡単に完成することができ、且つより容易に着脱し、通気装置の補修及び内部構成要素の入れ替えに寄与する。
【課題を解決するための手段】
【０００６】
本考案の一実施形態によれば、第１の収納空間を有するハウジングと、ハウジングに設けられる複数のねじ山と、を含む外層と、ハウジングに取り外し可能に接続され、第２の収納空間を有するライナーと、ライナーに取り外し可能に接続され、複数の通路を有する上蓋と、を含み、外層に取り外し可能に接続されるように、ハウジングの第１の収納空間内に収容される中層と、第３の収納空間を有するカラーと、ライナーに取り外し可能に接続され、カラーの第３の収納空間内に収容され、且つカラーに取り外し可能に接続される複数の通気メッシュと、を含み、中層に取り外し可能に接続されるように、ライナーの第２の収納空間内に収容される内層と、を備える通気装置を提供する。
【０００７】
前記実施形態の通気装置によれば、上蓋は、複数の第１の通路を有する第１の上蓋部材と、第１の上蓋部材に取り外し可能に接続され、第１の通路と連通する複数の第２の通路を有する第２の上蓋部材と、を含んでよい。
【０００８】
前記実施形態の通気装置によれば、各第１の通路の管路は、各第２の通路の方向へ縮径してよい。
【０００９】
前記実施形態の通気装置によれば、ライナーは、ライナーの外面に設けられ、ライナーとハウジングとの間に隙間を形成する空気流入流路と、ライナーの第２の収納空間とハウジングの第１の収納空間とを連通させるように、空気流入流路に貫通される貫通孔と、を含んでよい。
【００１０】
前記実施形態の通気装置によれば、内層は、複数のセパレータを更に含んでよく、セパレータは、カラーに取り外し可能に接続されるように、カラーの第３の収納空間に収容され、各セパレータの間に少なくとも１つの通気メッシュが設けられる。
【００１１】
前記実施形態の通気装置によれば、ハウジングは、ハウジングの内面に設けられる段縁を含んでよく、ライナーは、段縁に取り外し可能に当接されるフランジを含んでよい。
【００１２】
前記実施形態の通気装置によれば、ハウジングは、カニューレ又は三方管であってよい。
【００１３】
前記実施形態の通気装置によれば、ライナーは、ライナーの内面に設けられる係合溝を含んでよく、上蓋は、係合溝に取り外し可能に接続される係合縁を含んでよい。
【００１４】
前記実施形態の通気装置によれば、ライナーは、ライナーの内面に設けられる当接部材を含んでよく、カラーは、カラーの外面に設けられる当接縁を含んでよく、当接部材は、当接縁に取り外し可能に当接される。
【００１５】
前記実施形態の通気装置によれば、内層は、カラーの一端に取り外し可能に接続される固定部材を更に含んでよい。
【００１６】
前記実施形態の通気装置によれば、カラーは、カラーの内面に設けられる凹溝を含んでよく、固定部材は、凹溝に取り外し可能に接続される膨出部を含んでよい。
【図面の簡単な説明】
【００１７】
下記図面の説明は、本考案の上記または他の目的、特徴、メリット、実施例をより分かりやすくするためのものである。
【図１】本考案の一実施形態の一実施例に係る通気装置を示す斜視模式図である。
【図２】図１の実施形態の実施例に係る通気装置を示す分解図である。
【図３】図１の実施形態の実施例に係る通気装置を示す断面模式図である。
【図４】図１の実施形態の実施例に係る通気装置の上蓋を示す分解図である。
【図５】図１の実施形態の実施例に係る通気装置の第１の上蓋部材を示す模式図である。
【図６】図１の実施形態の実施例に係る通気装置の内層を示す分解図である。
【図７】図１の実施形態の実施例に係る通気装置の使用状態を示す模式図である。
【図８】図１の実施形態の実施例に係る通気装置の別の使用状態を示す模式図である。
【図９】本考案の一実施形態の別の実施例に係る通気装置を示す模式図である。
【図１０】図９の実施形態の実施例に係る通気装置を示す部分分解図である。
【図１１】図９の実施形態の実施例に係る通気装置の使用状態を示す模式図である。
【考案を実施するための形態】
【００１８】
以下、図面を参照しながら本考案の複数の実施例を説明する。明らかに説明するために、多くの実際の細部を下記の叙述で合わせて説明する。しかしながら、これらの実際の細部は本考案を制限するためのものではないことを理解すべきである。つまり、本考案の一部の実施例においては、これらの実際の細部は、必要なものではない。また、図面を簡略化するために、ある従来慣用の構造及び素子は、図面において簡単で模式的に示され、且つ繰り返した素子を同様な符号又は類似する符号で示す可能性がある。
【００１９】
図１、図２及び図３を参照すると、図１は本考案の一実施形態の一実施例に係る通気装置１００を示す斜視模式図であり、図２は図１の実施形態の実施例に係る通気装置１００を示す分解図であり、図３は図１の実施形態の実施例に係る通気装置１００を示す断面模式図である。図１、図２及び図３に示すように、通気装置１００は、外層１１０と、中層１２０と、内層１３０と、を備える。内層１３０が中層１２０内に設けられ、中層１２０が外層１１０内に設けられ、且つ中層１２０が外層１１０に取り外し可能に接続され、内層１３０が中層１２０に取り外し可能に接続される。外層１１０は、ハウジング１１１と、ハウジング１１１に設けられるねじ山１１２と、を含む。中層１２０は、ライナー１２１と、ライナー１２１に取り外し可能に接続される上蓋１４０と、を含む。内層１３０は、カラー１３１及び複数の通気メッシュ１７０を含む。カラー１３１がライナー１２１に取り外し可能に接続される。ハウジング１１１は、中層１２０を収納するための第１の収納空間１１３を有する。ライナー１２１は、内層１３０を格納するための第２の収納空間１２２を有する。カラー１３１は第３の収納空間１３２を有し、通気メッシュ１７０が第３の収納空間１３２内に収容される。外層１１０、中層１２０及び内層１３０を取り外し可能に構成して配置することで、通気装置１００の補修に寄与することができる。
【００２０】
具体的には、通気装置１００は入水端１０１及び吐水端１０２を有してよく、通気装置１００の入水端１０１が給液装置（図示せず）の吐水口に装着されてよく、給液装置の水流が入水端１０１から吐水端１０２の方向へ流れ、順次に外層１１０、中層１２０及び内層１３０を通過する。中層１２０及び内層１３０の設置によれば、液体とガスとを十分に混合させて、流れ出した水流にバブルを大量に含ませて、水流をよりきめ細かくし、節水の効果を達成させることができる。
【００２１】
詳しく言えば、外層１１０のねじ山１１２は、通気装置１００の入水端１０１に設けられ、通気装置１００を給液装置の吐水口に締め付けることに用いられる。図１の実施形態において、ねじ山１１２は、ハウジング１１１の内面に設けられるが、他の実施例において、ハウジング１１１の外面に設けられてもよいが、本考案はこれに限定されない。図１の実施例において、ハウジング１１１は両方向の開口を有する組立体であり、且つ外層１１０の材質は金属又はステンレス鋼であってよく、これにより、通気装置１００の構造強度を効果的に高める。
【００２２】
図３に合わせて、図４及び図５を参照されたい。図４は図１の実施形態の実施例に係る通気装置１００の上蓋１４０を示す分解図であり、図５は図１の実施形態の実施例に係る通気装置１００の第１の上蓋部材１４１を示す模式図である。更にいうと、図５は、第１の上蓋部材１４１の別の視角からの模式図である。中層１２０は、ライナー１２１と、上蓋１４０と、を含む。ライナー１２１は、ハウジング１１１に取り外し可能に接続され、且つ、第２の収納空間１２２を有する。上蓋１４０は、ライナー１２１に取り外し可能に接続され、複数の通路（別に示されていない）を含む。より詳しくいうと、図４に示すように、上蓋１４０は、第１の上蓋部材１４１と、第１の上蓋部材１４１に取り外し可能に接続される第２の上蓋部材１４２と、を含んでよい。第１の上蓋部材１４１は複数の第１の通路１４３を有し、第２の上蓋部材１４２は複数の第２の通路１４４を有し、且つ第１の通路１４３と第２の通路１４４とが連通し、第１の通路１４３及び第２の通路１４４は水流を通過させる。
【００２３】
図３に示すように、ハウジング１１１は、ハウジング１１１の内面から突出するように設けられる段縁１１４を含んでよく、ライナー１２１は、中層１２０が外層１１０に取り外し可能に接続されるように段縁１１４に当接されるフランジ１２３を含んでよい。また、ライナー１２１は、ライナー１２１の内面に設けられる係合溝１２４を含んでよく、上蓋１４０は、係合溝１２４に取り外し可能に接続される係合縁１４５を含んでよい。更にいうと、図３の実施形態において、係合縁１４５が第１の上蓋部材１４１に設けられ、且つ図３から分かるように、係合溝１２４及び係合縁１４５の断面は円弧状であり、上蓋１４０とライナー１２１との着脱のスムーズさの向上に寄与する。
【００２４】
他方、図５に示すように、第１の上蓋部材１４１の第２の上蓋部材１４２に接続される面に、第１の上蓋部材１４１の表面に凹設される複数の空気受入溝１４６を有する。空気受入溝１４６は、第１の通路１４３及び第２の通路１４４を第２の収納空間１２２に連通させることに用いられる。なお、図２及び図３に示すように、ライナー１２１は、空気流入流路１２６及び貫通孔１２８を含んでよい。空気流入流路１２６は、ライナー１２１とハウジング１１１との間に隙間１２７を形成するように、ライナー１２１の外面に設けられる。貫通孔１２８は、ライナー１２１の第２の収納空間１２２がハウジング１１１の第１の収納空間１１３と連通できるように、空気流入流路１２６に貫通される。また、図３に示すように、各第１の通路１４３の管路は、各第２の通路１４４の方向へ縮径する。
【００２５】
中層１２０は、第１の上蓋部材１４１に取り外し可能に接続される流速制御蓋１５０を更に含んでよい。図４に示すように、流速制御蓋１５０は、少なくとも１つの第１の通路１４３を覆い、水流が上蓋１４０を流れる流速を制御することに用いられる。中層１２０が外層１１０に脱着可能であるので、使用者は、給液装置の流量及び流速によって、流速制御蓋１５０を装着するかを選択してよい。これにより、通気装置１００の適用の柔軟性及び広さを高めることができる。
【００２６】
中層１２０は、第１の上蓋部材１４１に取り外し可能に接続されるメッシュキャップ１６０を含んでよい。図４に示すように、メッシュキャップ１６０は、第１の上蓋部材１４１に接続され、且つ第１の通路１４３及び流速制御蓋１５０を覆う。メッシュキャップ１６０は、大きな粒子の不純物を濾過することで、第１の通路１４３及び第２の通路１４４の閉塞を避けることができる。注意すべきなのは、中層１２０が外層１１０に脱着可能であるので、メッシュキャップ１６０がその良好な濾過効果を保持するように、使用者は、メッシュキャップ１６０を容易に交換することができる。
【００２７】
図３に合わせて図６を参照されたく、図６は図１の実施形態の実施例に係る通気装置１００の内層１３０を示す分解図である。図３及び図６に示すように、カラー１３１は、ライナー１２１に取り外し可能に接続され、第３の収納空間１３２を有するが、通気メッシュ１７０は、第３の収納空間１３２内に収容され、且つカラー１３１に取り外し可能に接続される。
【００２８】
詳しく言えば、図３に示すように、ライナー１２１は当接部材１２５を含んでよく、カラー１３１は当接縁１３３を含んでよい。当接部材１２５はライナー１２１の内面から突出するように設けられ、当接縁１３３はカラー１３１の外面に設けられ、当接部材１２５が当接縁１３３に取り外し可能に当接される。水流が入水端１０１から吐水端１０２の方向へ流れる場合、水流は内層１３０に付勢して、カラー１３１の当接縁１３３がライナー１２１の当接部材１２５に密着して当接し、更に内層１３０が中層１２０から容易に逸脱しないようにする。また、ライナー１２１とカラー１３１を取り外し可能に接続する構造として配置することで、通気装置１００を補修しやすくなる。
【００２９】
そして、内層１３０は、カラー１３１の一端に取り外し可能に接続されるようにカラー１３１の一端に設けられる固定部材１３４を更に含んでよい。より詳しくいうと、図３に示すように、カラー１３１は凹溝１３５を含んでよいが、固定部材１３４は膨出部１３６を含んでよい。凹溝１３５はカラー１３１の内面に設けられ、膨出部１３６は凹溝１３５に取り外し可能に接続される。そして、カラー１３１の他端は、カラー１３１の内面に周設され且つ通気メッシュ１７０を受け止めるための搭載面１３７を有する。固定部材１３４がカラー１３１に組み合わせられる場合、固定部材１３４の膨出部１３６は、固定部材１３４がカラー１３１に係止されるように、カラー１３１の凹溝１３５内に接続されるが、通気メッシュ１７０は、一端が固定部材１３４により当接され、他端が搭載面１３７により当接される。これにより、通気メッシュ１７０は、カラー１３１の第３の収納空間１３２内に安定して収容されることができる。
【００３０】
内層１３０は、カラー１３１に取り外し可能に接続されるようにカラー１３１の第３の収納空間１３２に収容される複数のセパレータ１３８を更に含んでもよく、各セパレータ１３８の間に少なくとも１つの通気メッシュ１７０が設けられる。セパレータ１３８の設置によって、カラー１３１の第３の収納空間１３２は、複数の通気空間１３９に仕切られることができる。図６の実施形態において、通気メッシュ１７０は９つであり、セパレータ１３８は２つであり、通気空間１３９は２つである。より詳しくいうと、入水端１０１から吐水端１０２の方向へ順次に第１の通気メッシュ１７１、第２の通気メッシュ１７２、第３の通気メッシュ１７３、第４の通気メッシュ１７４、第５の通気メッシュ１７５、第６の通気メッシュ１７６、第７の通気メッシュ１７７、第８の通気メッシュ１７８及び第９の通気メッシュ１７９があり、第１の通気メッシュ１７１及び第２の通気メッシュ１７２は固定部材１３４とその中の１つのセパレータ１３８との間に設けられ、第３の通気メッシュ１７３及び第４の通気メッシュ１７４は２つのセパレータ１３８の間に設けられ、第４の通気メッシュ１７４、第５の通気メッシュ１７５、第６の通気メッシュ１７６、第７の通気メッシュ１７７、第８の通気メッシュ１７８及び第９の通気メッシュ１７９は別のセパレータ１３８と搭載面１３７との間に設けられる。特に説明すべきなのは、通気メッシュ１７０及びセパレータ１３８の数は必要に応じて配置されてよいが、本考案はこの開示内容により限定されない。
【００３１】
図７及び図８を参照すると、図７は図１の実施形態の実施例に係る通気装置１００の使用状態を示す模式図であり、図８は図１の実施形態の実施例に係る通気装置１００の別の使用状態を示す模式図である。具体的には、通気装置１００に、液体Ｌを供給するための給液装置１０が接続されてよい。図７において、給液装置１０は通常の家庭用水栓であってよいが、本考案はこの開示内容により限定されない。詳しく言うと、通気装置１００の入水端１０１は、ハウジング１１１及びねじ山１１２を介して給液装置１０に締め付けられる。
【００３２】
図８に示すように、給液装置１０が開放されて液体Ｌを通気装置１００に供給する場合、第１の通路１４３の管路が各第２の通路１４４の方向へ縮径するので、水流が第１の通路１４３及び第２の通路１４４を通過する時に、ベンチュリ効果が発生すると共に、加圧の効果が発生する。これにより、ベンチュリ効果により、ガスＰは、水流により吸引されて、隙間１２７を介して吐水端１０２から空気流入流路１２６に沿って通気装置１００に入って、また貫通孔１２８及び空気受入溝１４６を介して上蓋１４０に入る。次に、第１の通路１４３及び第２の通路１４４によって液体Ｌに対して分散及び加圧を行い、最初の攪乱の目的を達成させる。
【００３３】
液体Ｌ及びガスＰが内層１３０に同時に入る場合、通気メッシュ１７０の設置によって、液体Ｌをより細かい水流に破砕させて、液体Ｌ及びガスＰを十分に混合して、バブル水Ａを発生させることができる。また、通気空間１３９の設置によって、液体ＬとガスＰとの混合効果を更に高めることができる。特に説明すべきなのは、図８において、ガスＰは外部空気であってよい。
【００３４】
上記構造配置によって、通気装置１００は、家庭用の水栓に直接装着されて、空気と液体Ｌとを直接混合させることで、きめ細かいバブル水Ａを提供し、水の柔軟化及び節約の効果を提供することができる。他方、ミクロンオーダー又はナノオーダーのバブルを大量に発生させることで、バブル水Ａは、油脂を被覆し、食器における油及び汚れを快速に除去し、洗浄剤の使用を減少することができる。また、バブル水Ａは、更に、青果物のしわやその上面表皮における汚れ及び残留農薬を深く洗浄し、また皮膚の毛穴の細かい汚れを深く洗浄し、細菌及び汚れを迅速に洗浄し、毛包を活性化することができる。これにより、通気装置１００は、民生用途に幅広く適用され、良好な実用性を持つ。
【００３５】
図９、図１０及び図１１を参照されたく、図９は本考案の一実施形態の別の実施例に係る通気装置２００を示す模式図であり、図１０は図９の実施形態の実施例に係る通気装置２００を示す部分分解図であり、図１１は図９の実施形態の実施例に係る通気装置２００の使用状態を示す模式図である。図９、図１０及び図１１に示すように、通気装置２００は、外層２１０と、中層２２０と、内層２３０と、を備える。外層２１０は、ハウジング２１１及びねじ山２１２を含む。中層２２０は、ライナー２２１及び上蓋２４０を含む。内層２３０は、カラー２３１及び複数の通気メッシュ２７０を含む。具体的には、図９の実施例の通気装置２００の構造は図１の実施例の通気装置１００の構造と類似し、図９の通気装置２００の詳細な構造配置及び作動原理については、上記図１の実施例の叙述を参照されたく、ここで別に説明しない。
【００３６】
特別なのは、図９の実施例において、ハウジング２１１は、三方管である。また、図９の実施例の通気装置２００は、図１０に示すように、通気装置２００のライナー２２１が完璧した表面を有し、つまり、通気装置２００のライナー２２１が図２に示すような貫通孔１２８を含まないことに、図１の実施例の通気装置１００と異なっている。
【００３７】
具体的には、図１１に示すように、ハウジング２１１の三方管は、入水口２１３、吐水口２１４、吸気口２１５、ベンチュリ２１６及び逆止構造２１７を含む。ねじ山２１２は、通気装置２００が液体Ｌを供給する給液装置（図示せず）に接続されるように、入水口２１３に設けられ、給液装置は、水栓であってよいが、これに限定されない。吸気口２１５は、ガスＰを提供することができるガス供給装置に接続されることに用いられ、ガスＰは、通常の空気、又は例えば、オゾン、二酸化炭素等の特殊な用途のガスのような他のガスであってよい。中層２２０及び内層２３０は、吐水口２１４に接続され、バブル水Ａを提供するように、液体Ｌ及びガスＰを混合させることに用いられる。特に説明すべきなのは、ベンチュリ２１６及び逆止構造２１７の構造は、周知され且つ本考案のポイントではないので、細部について詳しく説明しない。
【００３８】
図１１に示すように、給液装置が液体Ｌを通気装置２００に供給し、ベンチュリ２１６の設置によって、液体Ｌが通過する場合、ベンチュリ効果が発生し、ガスＰが吸気口２１５からベンチュリ２１６内に吸い込まれ、この場合、液体Ｌ及びガスＰが共に中層２２０及び内層２３０の中に入って、その中で混合して、バブル水Ａを発生させ、液体Ｌ及びガスＰが通気装置２００内でバブル水Ａに混合される詳細な原理については、上記図１の通気装置１００の叙述を参照してよいので、ここで別に説明しない。
【００３９】
上記説明から分かるように、異なる構造配置によると、本考案の通気装置は、水栓に接続されて、民生用途に用いられるように、マイクロ又はナノバブルを有するバブル水を直接出力することができる。或いは、本考案の通気装置は、三方管に合わせて使用されることができ、また異なる要求に応じて液体を、例えば、オゾン又は二酸化炭素等の可溶性ガスのような異なる種類のガスと混合させることができ、これにより、異なる特殊要求を提供することができる。
【００４０】
以上をまとめると、本考案は、内部に閉塞や錆の事態が発生する場合、通気装置全体を捨て又は入れ替えなければならない通常の一体成形の通気装置又は構成要素の取り外されない通気装置と異なっている。本考案の通気装置の各構成要素が取り外し可能に接続される構造配置によれば、本考案の通気装置は、各構成要素の組み合わせを簡単に完成し、且つ容易に着脱することができ、通気装置の補修及び内部構成要素の入れ替えに寄与する。これにより、通気装置の使用寿命を高めることができる。また、通気装置は、異なる使用状况に応じて所望の構成要素を交換して、通気装置の使用の便利性や適用の広さを高めることができる。なお、異なる構造配置によれば、本考案の通気装置は、民生用途又は特殊な工業の要求に対応するように、液体を空気又は他の特殊なガスと混合させることができ、その適用範囲が広い。
【００４１】
本考案は実施形態により上記の通りに開示されたが、実施形態に限定されなく、当業者であれば、本考案の精神と範囲から逸脱しない限り、多様の変更や修飾を加えることができる。従って、本考案の保護範囲は、下記実用新案登録の範囲で指定した内容を基準とするものである。
【符号の説明】
【００４２】
１０：給液装置
１００、２００：通気装置
１０１：入水端
１０２：吐水端
１１０、２１０：外層
１１１、２１１：ハウジング
１１２、２１２：ねじ山
１１３：第１の収納空間
１１４：段縁
１２０、２２０：中層
１２１、２２１：ライナー
１２２：第２の収納空間
１２３：フランジ
１２４：係合溝
１２５：当接部材
１２６：空気流入流路
１２７：隙間
１２８：貫通孔
１３０、２３０：内層
１３１、２３１：カラー
１３２：第３の収納空間
１３３：当接縁
１３４：固定部材
１３５：凹溝
１３６：膨出部
１３７：搭載面
１３８：セパレータ
１３９：通気空間
１４０、２４０：上蓋
１４１：第１の上蓋部材
１４２：第２の上蓋部材
１４３：第１の通路
１４４：第２の通路
１４５：係合縁
１４６：空気受入溝
１５０：流速制御蓋
１６０：メッシュキャップ
１７０、２７０：通気メッシュ
１７１：第１の通気メッシュ
１７２：第２の通気メッシュ
１７３：第３の通気メッシュ
１７４：第４の通気メッシュ
１７５：第５の通気メッシュ
１７６：第６の通気メッシュ
１７７：第７の通気メッシュ
１７８：第８の通気メッシュ
１７９：第９の通気メッシュ
２１３：入水口
２１４：吐水口
２１５：吸気口
２１６：ベンチュリ
２１７：逆止構造
Ａ：バブル水
Ｐ：ガス
Ｌ：液体
【図１】
0003233747.tif 000003
【図２】
0003233747.tif 000004
【図３】
0003233747.tif 000005
【図４】
0003233747.tif 000006
【図５】
0003233747.tif 000007
【図６】
0003233747.tif 000008
【図７】
0003233747.tif 000009
【図８】
0003233747.tif 000010
【図９】
0003233747.tif 000011
【図１０】
0003233747.tif 000012
【図１１】
0003233747.tif 000013